(57)【要約】【技術課題】財布や名刺入れ、カード入れに収納して携帯しやすく、静電気トラブル及びスキミング被害防止に有効なカードホルダーを提供する。【解決手段】収納するカード２の横幅と同一にカットされた帯電防止又は電磁波を遮断又は吸収する機能を有するテープを横幅方向に対して直角方向に２つ折りすることにより偏平に形成し、かつこの２つ折りにしたテープの先端に沿って、収納するカード２の縦幅が入るスペースを残してヒートシール３を行うことにより、ホルダー１の左右方向にカード２の出し入れ口４ａ、４ｂを形成する。【選択図】図１
2009006083.tif 000002
【特許請求の範囲】
【請求項１】
収納する横長のカードの横幅と同一にカットされた帯電防止又は電磁波を遮断又は吸収する機能を有するテープを横幅方向に対して直角方向に２つ折りすることにより偏平に形成し、かつこの２つ折りにしたテープの先端に沿って、収納するカードの縦幅が入るスペースを残してヒートシールを行うことにより、ホルダーの左右方向にカードの出し入れ口を形成して成る磁気カードホルダー。
【請求項２】
収納する縦長のカードの横幅と同一にカットされた帯電防止又は電磁波を遮断又は吸収する機能を有するテープを横幅方向に対して直角方向に２つ折りすることにより偏平に形成し、かつこの２つ折りにしたテープの先端に沿って、収納するカードの縦幅が入るスペースを残してヒートシールを行うことにより、ホルダーの左右方向にカードの出し入れ口を形成して成る磁気カードホルダー。
【請求項３】
収納する横長のカードの横幅と同一にカットされた帯電防止又は電磁波を遮断又は吸収する機能を有する２枚のフィルムを重ね合わせて偏平に形成し、この重ね合わせた２枚のフィルムにおいてカードの縦幅が入るスペースを残して上下辺に沿ってそれぞれヒートシールを行うことにより、ホルダーの左右方向にカードの出し入れ口を形成して成る磁気カードホルダー。
【請求項４】
収納する縦長のカードの横幅と同一にカットされた帯電防止又は電磁波を遮断又は吸収する機能を有する２枚のフィルムを重ね合わせて偏平に形成し、この重ね合わせた２枚のフィルムにおいて、カードの縦幅が入るスペースを残して上下辺に沿ってそれぞれヒートシールを行うことにより、ホルダーの左右方向にカードの出し入れ口を形成して成る磁気カードホルダー。
【請求項５】
上記テープ又はフィルムにおける帯電防止又は電磁波を遮断又は吸収する機能とは、帯電防止剤をコーティング又は練り込んだプラスチックフィルム又は接着剤又は中間に導電性材料を挟む、又はコーティングする、又は蒸着する方法により形成された静電気を除去又は電磁波を遮断又は吸収する層を形成した複合フィルムであることを特徴とする請求項１〜４の何れか１項に記載の磁気カードホルダー。
【請求項６】
上記テープ又はフィルムは、無溶剤型ラミネーション技術により複合されていることを特徴とする請求項５に記載の磁気カードホルダー。
【請求項７】
上記ホルダーには、水性インキを用いて印刷が施されていることを特徴とする請求項１〜６の何れか１項に記載の磁気カードホルダー。
【請求項８】
上記ホルダーには、ＧＰＳチップが付加されていて、紛失又は盗難時にＧＰＳシステムによりカードを追跡してその所在を特定することができることを特徴とする請求項１〜７の何れか１項に記載の磁気カードホルダー。
【発明の詳細な説明】
【技術分野】
【０００１】
本発明は、各種の磁気カード、ＩＣカード、非接触カード等を財布又は名刺入れ、カード入れ等に収納したときに、静電気トラブルの発生を防止し、併せてスキミング被害を防護する機能を有し、更に地球環境の保護に配慮し、且つ紛失や盗難時にカードの位置情報をＧＰＳシステムで探査でき、携帯に際しては財布や名刺入れ、カード入れにホルダーごと収容することができる磁気カードホルダーに関する。
【背景技術】
【０００２】
現在、キャッシュカードやＩＣカードあるいは非接触カード等のように、磁気データを記録したカードにおいて静電気トラブル及びスキミングトラブルが多く発生している。
この防護策として、静電気トラブルについては、本件出願人は特願２００７‐３４１８９号として提案しており、スキミング防護策としては、次のようなものが提案されている。
・特開２００６‐１８１３２７号
この内容は、「非接触型のスキミング機器から、財布やカード入れに収納してい      るクレジットカードやキャッシュカードなどのカード類の不正スキミングを防止す      る方法であって、財布やカード入れなどに挿入、貼り付けて使用し易いように、折      り曲げたり、切断し易いようにシールド材を分離させてコーティングする方法であ      り、スキミング防止に有効なシールド素材として、金、銀、銅、鉄、ステンレス、      鉛、真鍮などの金属を金箔などのように薄くした金属箔に、薄いプラスチックフィ      ルムなどで挟み合わせ」たものである。
・実用新案登録第３１２３８２７号
この内容は、「磁気カード類に対する簡易なスキミング防止を施した極めて安価      なコストで製造でき、例えば金融機関等がサービス促進用として配布するのに好適      なように広告表示部を備えたスキミング防止を施したカード入れとして、縦辺、横      辺のいずれの１辺又は２辺に開口を有した袋状に形成されて磁気カード類を収納す      るようにした収納部と、その表面部か裏面部の両面又はいずれかの一面に施されて      磁気カード類に対するスキミング防止可能なステンレス材等の磁気防止素材、磁気      遮断素材、電磁波遮断材からなる磁気遮断面と、表面部をはじめとするいずれかの      面に形成した広告表示部とを有して構成した」内容である。
・特開２００６‐２８８９８９号
この内容は、「ハンディースキマーによる外部からのカード情報のスキミングを      防御するために、カード入れ付き財布の表地と裏地との間にアルミ箔を設けた」内      容である。
・特開２００６‐２２３８１８号
この内容は、「財布に入れたクレジットカードやキャッシュカードは、特殊な読      取装置を用いることで外部から機密情報を盗まれるという問題を防止するために、      スキミング信号を通さない金属板に着目し、財布の中のクレジットカードを覆うよ      うに金属板を装着することで、スキミング装置の読み取り信号を遮断する」内容で      ある。
・特開２００６‐２１２３８０号
この内容は、「財布の中に入れたキャッシュカードのデータをスキミングされな      いように、財布の一部にアルミを除く金属の材質を設けたスキミング防止するため      に、財布本体の外側部分に、アルミを除く金属の材質を設けた」内容である。
・特開２００５‐２７９９７５号
この内容は、「旅券冊子、免許証、預金通帳、住基カード等の個人の身分を証明      する際に用いられる非接触型ＩＣを搭載した冊子に関し、特に冊子の非接触型ＩＣ      に記録された個人情報を不正取得するスキミングを防止し、個人情報の保護を行う      ために、電磁波を遮断する又は吸収する若しくは干渉する性質を有する導電性材料      を内添、積層、印刷、塗工等により、シートに付与したものを冊子の頁とした又は      取り外し可能に備えたスキミング防止冊子及び挿入部材であって、非接触型ＩＣを      搭載した冊子の新規の発行時又は適時に付与することができ、破損や故障によりス      キミング防止機能が低下した際は、該部材だけを交換すれば非接触型ＩＣを搭載し      た冊子は再発行することなく再び使用することができる」内容である。
【特許文献１】特開２００６‐１８１３２７号公報
【特許文献２】実用新案登録第３１２３８２７号公報
【特許文献３】特開２００６‐２８８９８９号公報
【特許文献４】特開２００６‐２２３８１８号公報
【特許文献５】特開２００６‐２１２３８０号公報
【特許文献６】特開２００５‐２７９９７５号公報
【０００３】
しかし、上記スキミング防止技術の場合、確かにスキミング防止効果は期待できるが  、形態上カード全般に適用できないと共に、通常カードは財布や名刺入れ、あるいはカ  ード入れに入れて携帯するため、これらの入れ物に対して大きかったりして収納できな  いという欠点がある。
また、地球環境や製作過程での作業環境及び紛失や盗難時の対策についても配慮して  いない。
【発明の開示】
【発明が解決しようとする課題】
【０００４】
本発明の第１の目的は、あらゆる磁気カードにおいて、静電気トラブル及びスキミングトラブルからカード内の情報を防護するカードホルダーを提供することである。
更に、第２の目的は、規格化された財布や名刺入れ、カード入れ等にそのまま収納して携帯できるカードホルダーを提供することである。
更に、第３の目的は、地球環境及び製作時の作業環境に配慮したカードホルダーを提供することである。
更に、第４の目的は、カードを紛失したり、盗難に遭遇したときに、このカードの在る場所を直ちに追跡あるいは発見できるカードホルダーを提供することである。
【課題を解決するための手段】
【０００５】
上記目的を達成するため、請求項１に記載の発明においては、磁気カードホルダーにおいて、収納する横長のカードの横幅と同一にカットされた帯電防止又は電磁波を遮断又は吸収する機能を有するテープを横幅方向に対して直角方向に２つ折りすることにより偏平に形成し、かつこの２つ折りにしたテープの先端に沿って、収納するカードの縦幅が入るスペースを残してヒートシールを行うことにより、ホルダーの左右方向にカードの出し入れ口を形成して成ることを特徴とするものである。
【０００６】
更に、請求項２に記載の発明においては、磁気カードホルダーにおいて、収納する縦長のカードの横幅と同一にカットされた帯電防止又は電磁波を遮断又は吸収する機能を有するテープを横幅方向に対して直角方向に２つ折りすることにより偏平に形成し、かつこの２つ折りにしたテープの先端に沿って、収納するカードの縦幅が入るスペースを残してヒートシールを行うことにより、ホルダーの左右方向にカードの出し入れ口を形成して成ることを特徴とするものである。
【０００７】
更に、請求項３に記載の発明においては、磁気カードホルダーにおいて、収納する横長のカードの横幅と同一にカットされた帯電防止又は電磁波を遮断又は吸収する機能を有する２枚のフィルムを重ね合わせて偏平に形成し、この重ね合わせた２枚のフィルムにおいてカードの縦幅が入るスペースを残して上下辺に沿ってそれぞれヒートシールを行うことにより、ホルダーの左右方向にカードの出し入れ口を形成して成ることを特徴とするものである。
【０００８】
更に、請求項４に記載の発明においては、磁気カードホルダーにおいて、収納する縦長のカードの横幅と同一にカットされた帯電防止又は電磁波を遮断又は吸収する機能を有する２枚のフィルムを重ね合わせて偏平に形成し、この重ね合わせた２枚のフィルムにおいて、カードの縦幅が入るスペースを残して上下辺に沿ってそれぞれヒートシールを行うことにより、ホルダーの左右方向にカードの出し入れ口を形成して成ることを特徴とするものである。
【０００９】
更に、請求項５に記載の発明においては、請求項１〜４の何れか１項に記載の磁気カードホルダーにおいて、上記テープ又はフィルムにおける帯電防止又は電磁波を遮断又は吸収する機能とは、帯電防止剤をコーティング又は練り込んだプラスチックフィルム又は接着剤又は中間に導電性材料を挟む、又はコーティングする、又は蒸着する方法により形成された静電気を除去又は電磁波を遮断又は吸収する層を形成した複合フィルムであることを特徴とするものである。
【００１０】
更に、請求項６に記載の発明においては、請求項５に記載の磁気カードホルダーにおいて、上記テープ又はフィルムは、無溶剤型ラミネーション技術により複合されていることを特徴とするものである。
この発明により、環境に優しいカードホルダーを提供できる。
【００１１】
更に、請求項７に記載の発明においては、請求項１〜６の何れか１項に記載の磁気カードホルダーにおいて、上記ホルダーには、水性インキを用いて印刷が施されていることを特徴とするものである。
この発明により、環境に優しいカードホルダーを提供できる。
【００１２】
更に、請求項８に記載の発明においては、請求項１〜７の何れか１項に記載の磁気カードホルダーにおいて、上記ホルダーには、ＧＰＳチップが付加されていて、紛失又は盗難時にＧＰＳシステムによりカードを追跡してその所在を特定することができることを特徴とするものである。
この発明により、カードの紛失及び盗難時には、ＧＰＳシステムにより、直ちにその所在を突き止めることができる。
【発明の効果】
【００１３】
本発明は以上のように、カードホルダーにおいて、静電気トラブル及びスキミングトラブルを防止することができると共に、カードと同一幅に横幅又は縦幅がカットされているため、通常の財布や名刺入れ、カード入れ等にホルダーごとそのまま差し込んで携帯することができる。
【発明を実施するための最良の形態】
【００１４】
本発明が適用されるカードは、接触型、非接触型の双方を含み、内部に磁気データ記録部あるいは電磁波受信回路、送信回路等を搭載したすべてのカードが対象である。
このカードの大きさは、規格化された財布や名刺入れ等に設けられたカード入れ部に横又は縦に差し込んで収納することができる大きさのものが対象となる。
ホルダーは、帯電防止剤として、例えば「ボンディップ」（登録商標）が使用された除電効果のある単層又は複層のプラスチックフィルム又はプラスチックフィルムの間に導電性材料層を形成したもので製作される。この除電又は導電性材料としては、公知の帯電防止剤又はフィルム又はアルミニュウム箔が軽量であり、扱いも簡単であるが、勿論、その他の除電又は導電性材料としては、ステンレス、銀、銅、鉄、鉛等を例示できる。
積層する場合には、有機溶剤を用いないラミネート法を用いる。
【００１５】
カードホルダーに印刷を施す際の印刷法としては、有機溶剤を用いないインキを用いたグラビア印刷が最適であるが、その他の印刷法で印刷を施し、ホルダーのデザインの向上を図ったり、用途に特性を持たせるようにする。
印刷には、水性インキを用いて環境に配慮し、この水性インキと前記溶剤型ラミネート剤を使用しないラミネート技術により、製作時の作業環境の保護と、廃棄処分されたカードホルダーにより地球環境を悪化させないように配慮する。
【００１６】
カードは、個人情報も含めて紛失したときの被害は甚大であるが、一方、紛失しやすい特性もある。このことから、紛失時の対策が重要である。併せて、盗難対策も重要である。
この方法としては、カードの所在をＧＰＳシステムを使用して追跡し、直ちに発見できるように、ＧＰＳチップをケースの一部に保持させておくと良い。
【実施例１】
【００１７】
図１は、請求項１に記載のカードホルダーの形態を示すもので、このカードホルダー１は、横幅ｗは、カード２の横幅ｗ1と同一の一枚のテープを中間Ｐで二つ折りになし、カード２の縦幅ｈ1より外側において二つ折りの先端でヒートシール３を行うことにより、偏平に形成され、内部にカード２の出し入れ口４ａ、４ｂ付の収容部４を形成した構成である。５は、カード２を引き出し易くするためにカットされたカード摘み口である。但し、このカード摘み口５は、出し入れ口４ａ、４ｂの双方又は片方又は無くても良いが、カード２の横幅ｗ1とホルダー１の横幅ｗが同一であるとき、カード２をつまんで引き出し難いことを考慮して、在った方が良い。
【実施例２】
【００１８】
本実施例２は、請求項２に記載のカードホルダーの形態を示すもので、この実施例は、カード２は縦幅ｈ1が大きく、横幅ｗ1が小さい、所謂縦長タイプのカード２を収納するためのホルダーであって、実施例１と同一の方法で作られている。
【実施例３】
【００１９】
本実施例３は、請求項３に記載のカードホルダーの形態を示すもので、このカードホルダー１は、カード１の横幅ｗ1と同一幅に横幅ｗがカットされた２枚のフィルム１ａ、１ｂを内部にカード１を収容する縦幅ｈを残して上下辺に沿って、ヒートシール３ａ、３ｂを行ったものである。
【実施例４】
【００２０】
本実施例４は、請求項４に記載のカードホルダーの形態を示すもので、実施例３との違いは、カードホルダー１は、図４に示すように、縦長のカード２を入れるもので、横幅ｗはカード２の横幅ｗ1と同一で、収容部４の縦幅ｈはカード２の縦幅ｈ1が入る大きさで、この外の上下辺に沿ってヒートシール３、３ａされたものである。
上記したホルダー１の積層構造は、図５に示すように、外層からＰＥＴ＃１２／ＡＬ＃９／ＮＹ＃１５／ＣＰＰ＃１００から成り、無用剤型ラミネーターを用いてラミネートされたものである。
上記ホルダー１であって、表１に示す仕様のホルダー１内に非接触型ＩＣカードを収納し、電磁波シールド特性及び耐静電気放電性について行った試験の結果を表２及び表３に示す。
【表１】
2009006083.tif 000003
【表２】
2009006083.tif 000004
【表３】
2009006083.tif 000005
なお、本実施例１において、印刷を行う場合には、ＰＥＴの内面に行う。
【実施例５】
【００２１】
本実施例５は、請求項７に記載したカードホルダーに関するもので、図６に示すように、ホルダー１のヒートシール部３に、ＧＰＳチップ２０を保持させたものである。このＧＰＳチップ２０の作用により、ＧＰＳシステムを用いて、紛失したカードあるいは盗難に遭遇したカードを追跡し、その所在を直ちに発見することができる。
【図面の簡単な説明】
【００２２】
【図１】実施例１に記載した発明のカードホルダーの説明図
【図２】実施例２に記載した発明のカードホルダーの説明図
【図３】実施例３に記載した発明のカードホルダーの説明図
【図４】実施例４に記載した発明のカードホルダーの説明図
【図５】カードホルダーを形成する材質と積層構造の説明図
【図６】ＧＰＳチップを付加したカードホルダーの説明図
【符号の説明】
【００２３】
１  カードホルダー
２  カード
３、３ａ、３ｂ  ヒートシール
２０  ＧＰＳチップ
【図１】
2009006083.tif 000006
【図２】
2009006083.tif 000007
【図３】
2009006083.tif 000008
【図４】
2009006083.tif 000009
【図５】
2009006083.tif 000010
【図６】
2009006083.tif 000011